(57)【要約】【課題】容器としての使用時にあっては自立安定性を有し、詰め換え時にあっては液体を容易にしかも液体を漏らすことなく、使い勝手がよく、しかも安価に製造できる詰め替え容器の提供。【解決手段】容器本体１０は、胴部と、胴部の一端に一体に形成された底部１３および他端に形成された口部より構成する。底部１２の下端に、キャップ部１３を脱着自在に係止する。この詰替え作業では、さほどの注意を要せずとも、液体洗剤が詰め替え容器１０外に漏れることはない。【選択図】図５
2015199537.tif 000002
【特許請求の範囲】
【請求項１】
洗剤の詰め替えを容易にする容器であって、容器の底部に締結手段として、スクリューキャップ式の雌ネジ蓋を採用したことによって、内容物が漏れることを防止したことを有することを特徴とする詰め替え容器。
【請求項２】
前記注入口部に雄ネジが形成してあり、前記蓋部材は該雄ネジに螺合するスクリューキャップ式の雌ネジ蓋でなり、該ネジの外周には、手回し用に滑り防止の突起頭を設けたことを特徴とする請求項１に記載の詰め替え容器。
【発明の詳細な説明】
【技術分野】
【０００１】  本発明は、台所用洗剤、トイレ用洗剤、浴室用洗剤・シャンプー等の液体洗剤を収容するのに好適な詰め替えを容易に行える容器に関する。
【背景技術】
【０００２】  浴室などで用いられる液体洗剤用容器は、ある程度の剛性を有するプラスチック製のボトル状の容器が一般的である。【０００３】  この容器は、比較的長期間の使用に耐えるが、内容物である洗剤は、消耗品である。そこで、液体洗剤の詰め替え用が流通の手段として利用されている。【０００４】  その詰め替え用液体洗剤の詰め替え作業者（特にスーパー銭湯など）を困らせる事態がしばしば起こる。【０００５】  そこで、このような詰め替え作業を容易にするために、特許文献１に記載の容器が提案されている。特許文献１に記載の容器は、『（１）底面を漏斗状に底上げしてなる漏斗状部と、該漏斗状部の最も凹んだ領域に設けられた注入口部と、該注入口部の蓋となる蓋部材とを有することを特徴とする詰め替え容器』である。【０００６】  また『（２）前記注入口部に雌ネジが形成してあり、前記蓋部材は該雌ネジに螺合するネジ頭付き雄ネジでなり、該ネジ頭には十字溝又はマイナス溝が形成してあることを特徴とする前記（１）に記載の詰め替え容器。』でもある。【０００７】  次に、図面を参照して特許文献１の実施形態を説明する。図１は本発明の一実施の形態を示す図であり、図１（Ａ）はその正面図、図１（Ｂ）は底面図である。図２（Ａ）及び（Ｂ）は、図１の実施の形態における底部の断面図であり、図２（Ａ）は注入口部２を雄ネジ付き蓋３で塞いだ状態を示し、図２（Ｂ）は雄ネジ付き蓋３を注入口部２から外し、注入口部２を開いた状態を示す。
図３は、図２（Ａ）及び（Ｂ）に示した雄ネジ付き蓋３の側面図（Ａ）及び正面図（Ｂ）である。【０００８】  図１において、１は漏斗状部、２は注入口部、２ａは雌ネジ部、３は雄ネジ付き蓋、３ａは十字溝、３ｂは雄ネジ、４はノズル、５はレバー、１０はプラスチック製の詰め替え容器（特許文献１の実施の形態）、１０ａは座面部である。【０００９】  詰め替え容器１０の底面は漏斗状に底上げされており、底上げされたその底面は漏斗状部１をなしている。漏斗状部１の中央部が最も凹んだ領域であり、ここに注入口部２が設けてある。注入口部２には雌ネジが形成してある。雄ネジ付き蓋３（前述の蓋部材に相当）は、注入口部２の雌ネジに螺合するネジ頭付き雄ネジでなる。そのネジ頭には、十字溝３ａが形成してある。雄ネジ付き蓋３におけるネジ頭の座面は円錐状をなす。その円錐状座面は、雄ネジ付き蓋３の雄ネジ３ｂを注入口部２の雌ネジに締め付けたとき、注入口部２の開口縁に密着し、雄ネジ付き蓋３が注入口部２の開口を確実に閉止し、詰め替え容器１０内部の液体洗剤が漏れるのを防ぐ。【００１０】  この螺合工程の当初は雄ネジ付き蓋３を指で回すことにより雄ネジ３ｂを注入口部２の雌ネジに螺合するが、その螺合工程の途中からは、十字溝３ａに１０円硬貨などを嵌め、雄ネジ付き蓋３を１０円硬貨などで回し、雄ネジ付き蓋３を注入口部２の雌ネジに十分に緊締する。
【先行技術文献】
【００１１】
【特許文献１】特開２００５−３４３５４７号の公開特許公報
【発明の概要】
【発明が解決しようとする課題】
【００１２】  前述の特許文献１に記載の容器は、二つの大きな致命的な欠陥を有している。（１）雄ネジ付き蓋３をねじ込むプラグ式であるためこの部分から洗剤など液体の内容物の漏れを発生させることである。さらに、（２）『その螺合工程の途中からは、十字溝３ａに１０円硬貨などを嵌め、雄ネジ付き蓋３を１０円硬貨などで回し、雄ネジ付き蓋３を注入口部２の雌ネジに十分に緊締する。』という開閉操作の煩わしさである。【００１３】  そこで、本発明では、（１）内容物が漏れる原理（原因）を究明して、洩れない構造の容器を提供することを課題とした。さらに（２）１０円硬貨などの道具立てが不要な締結構造の容器を提供することを課題とした。
【課題を解決するための手段】
【００１４】  前述の課題を解決するために、本発明は次の手段を提供する。
図１は、特許文献１に記載の雌ネジ部（２ａ）・雄ネジ付き蓋（３）及び雄ネジ（３ｂ）を部分拡大した図である。図から明らかなように、雄ネジ付き蓋３をねじ込むプラグ式であるためこの部分から洗剤など液体の内容物の漏れを発生させることになる。そこで、本発明では、締結手段として、スクリューキャップ式の雌ネジを採用した。【００１５】  スクリューキャップ式の雌ネジを採用することにより、１０円硬貨などの道具立てが不要な締結構造の容器を提供できるようにした。【００１６】  特許法では、「特許の要件」を第二十九条  産業上利用することができる発明をした者は、次に掲げる発明を除き、その発明について特許を受けることができる。
一  特許出願前に日本国内又は外国において公然知られた発明二  特許出願前に日本国内又は外国において公然実施をされた発明
三  特許出願前に日本国内又は外国において、頒布された刊行物に記載された発明又は電気通信回線を通じて公衆に利用可能となつた発明
２  特許出願前にその発明の属する技術の分野における通常の知識を有する者が前項各号に掲げる発明に基いて容易に発明をすることができたときは、その発明については、同項の規定にかかわらず、特許を受けることができない。
との規定があるが、本発明の手段は、「前項各号に掲げる発明に基いて容易に発明をすることができた。」ものと考えられるものではない。
【発明の効果】
【００１７】  上記構成の本発明によれば、使い勝手がよく、しかも製造費の安い詰め替え容器を提供できる。
【図面の簡単な説明】
【００１８】
【図１】特許文献１の一実施の形態を示す図であり、（Ａ）はその正面図、（Ｂ）は底面図である。
【図２】特許文献１の図１の実施の形態における底部の断面図であり、（Ａ）は、注入口部２を雄ネジ付き蓋３で塞いだ状態を示しており、（Ｂ）は。雄ネジ付き蓋３を注入口部２から外し、注入口部２を開いた状態を示す。
【図３】特許文献１の図２の（Ａ）及び（Ｂ）に示した雄ネジ付き蓋３及び７を示す図であり、（Ａ）は側面図、（Ｂ）は正面図である。
【図４】は、特許文献１に記載の雌ネジ部（２ａ）・雄ネジ付き蓋（３）及び雄ネジ（３ｂ）を部分拡大した図である。
【図５】本発明の実施形態に用いる本体１０の底部材１３の一部の雌ネジスクリューキャップ付き蓋１３を示す図である。
【図６】本発明の実施形態の雌ネジスクリューキャップ付き蓋１３の拡大図である。
【図７】本発明の実施形態１の雌ネジスクリューキャップ付き蓋１３の外観図である。（Ａ）は、底面側から見た図、（Ｂ）は、ねじ込み側から見た図である。
【図８】本発明の実施形態２の雌ネジスクリューキャップ付き蓋１３の外観図である。
【図９】本発明の実施形態２の雌ネジスクリューキャップ付き蓋１３を取付けた本体全体の外観図である。
【発明を実施するための形態】
【００１９】  以上に説明した、本実施の形態の詰め替え容器１０に詰め替え用袋の液体洗剤を詰替える作業では、詰め替え用袋に収納されている液体洗剤は、詰め替え容器１０底部の漏斗状部１へ注げば、漏れることなく詰め替え容器１０の内部に注入される。この詰替え作業では、さほどの注意を要せずとも、液体洗剤が詰め替え容器１０外に漏れることはない。
【００２０】  図４に示すように、ネジがスムーズに噛み合うには雄ネジと雌ネジに僅かな隙間ガタが必要である。図４に示す雄ネジと雌ネジの間の白い部分が隙間ガタのイメージである。
この部分から内容物が漏れ出るわけである。
【実施例１】
【００２１】  図５及び図６に示したのが本発明の実施例１である。すなわち、雄ネジと雌ネジに僅かな隙間ガタが必要であることを容認して、この隙間より内側に位置するところの詰め替え容器の本体底部１０の開口部端面をシール面として機密機能を持たせており、締結手段として、スクリューキャップ式の雌ネジ蓋を採用したものである。【００２２】  また、このスクリューキャップ式の雌ネジ蓋の外周には、図７に示すように、手回し用の滑る止めを施して、１０円硬貨やネジ回し用工具を必要としない構造にしている。
（Ａ）底面側から見た図（Ｂ）ねじ込み側から見た図である。
【実施例２】
【００２３】    実施例１では、本体底部１２に図５に示すように窪みを設けて、スクリューキャップ式の雌ネジ蓋１３が側面から見えない構造にしている。実施例では、本体底部１２の直径とスクリューキャップ式の雌ネジ蓋１３の外周径が一致する寸法関係になる構造にしている。【００２４】    その目的とするところは、（１）手回しによる開閉操作がさらに楽になるように出来ること。（２）開口部を大きくすることによって詰め替え操作がさらに容易に出来ること。を狙っている。
【産業上の利用可能性】
【００２５】  収納する液体は、食用油、醤油、ソース、酢等の液体食品および液体糊などの液体、その他何であっても差し支えない。また、実施の形態では、ノズル４やレバー５を備えた詰替え容器を挙げたが、このような部材を備えない単純な形のものにも、適用できる。
【符号の説明】
【００２６】１  漏斗状部
２  注入口部
２ａ  雌ネジ部
３  雄ネジ付き蓋
３ａ  十字溝
３ｂ  雄ネジ
４  ノズル
５  レバー
７  雄ネジ付き蓋
７ａ  マイナス溝
７ｂ  雄ネジ
１０  詰め替え容器
１０ａ  座面部
１０ｂ  詰め替え容器１０の首部
１２  本体底部
１３  雌ネジスクリューキャップ付き蓋
【図１】
2015199537.tif 000003
【図２】
2015199537.tif 000004
【図３】
2015199537.tif 000005
【図４】
2015199537.tif 000006
【図５】
2015199537.tif 000007
【図６】
2015199537.tif 000008
【図７】
2015199537.tif 000009
【図８】
2015199537.tif 000010
【図９】
2015199537.tif 000011